(57)【要約】【課題】  本発明は、プレゼントボックス等の容器として活用出来る立体パズルを提供する。【解決手段】  所定のセンターピース43〜46が所定のエッジピース15，11，18，12と隣接すると共に、所定のエッジピース13，16，20，21が所定のコーナーピース32，31，36，35と隣接した場合に、エッジピース15，11，18，12の突縁122とセンターピース43〜46の突起414との係合が解除されると共に、コーナーピース32，31，36，35の突縁313と、エッジピース13，16，20，21に固定されるブロック52に設けられた突起４との係合が解除され、複数のブロック51〜53からなる蓋体Ｂを他の複数のブロック51〜53からなるケース体Ａから分離させて球体コア２の内部を外部に露出させることが出来る。【選択図】      図１４
2013017807.tif 000002
【特許請求の範囲】
【請求項１】
水平及び垂直な分割線で、複数のピースに分割された球体コアと、
それぞれの前記ピースの外側に固定され、全体として４つの面以上の立体を構成する複数のブロックとを有し、
前記ピースを前記分割線に沿って移動させることにより、前記立体の面の色彩もしくは模様を揃える立体パズルであって、
所定の前記ピースが所定の前記ピースと隣接した場合に、その係合が解除され、複数の前記ブロックを他の前記ブロックから分離させ、前記球体コアの内部を外部に露出させることができることを特徴とする立体パズル。
【請求項２】
前記球体コアは、
前記球体コアの曲率に対応して湾曲した方形状で形成されると共に、前記ブロックを固定する固定部が中央部に設けられ、両端部に条溝と突縁が設けられ、前記球体コアの水平及び垂直な分割線に沿って配置される複数のエッジピースと、
前記球体コアの曲率に対応して湾曲した正三角形状で形成されると共に、前記ブロックを固定する固定部が中央部に設けられ、各辺に前記エッジピースの側辺と、該エッジピースに固定されるブロックとにより形成されたガイド溝に沿って滑動自在に係合する突縁を有するコーナーピースと、
前記球体コアの曲率に対応して湾曲した正方形状で形成されると共に、各辺に沿って設けられ、前記エッジピースの両端部に設けられた条溝に沿って滑動自在に係合すると共に、前記コーナーピースの各辺に設けられた突縁と、該コーナーピースに固定されるブロックとにより形成されたガイド溝に沿って滑動自在に係合する突起と、各辺に沿って前記突起に隣接して設けられ、前記エッジピースの両端部に設けられた突縁及び前記コーナーピースの各辺に設けられた突縁が滑動自在に係合する条溝と、を有する複数のセンターピースと、
を有して構成され、
前記球体コアの所定の分割線で、所定の前記センターピースが所定の前記エッジピースと隣接すると共に、所定の前記エッジピースが所定の前記コーナーピースと隣接した場合に、前記エッジピースの端部に設けられた前記突縁の位置と、前記センターピースの一辺に設けられた突起の一部に形成された切り欠き部の位置とが互いに対向する位置に設定されると共に、前記コーナーピースの一辺に設けられた突縁の位置と、前記エッジピースに固定されるブロックに設けられた突起の一部に形成された切り欠き部の位置とが互いに対向する位置に設定されることにより、
前記エッジピースの突縁と前記センターピースの突起との係合が解除されると共に、前記コーナーピースの突縁と、前記エッジピースに固定されるブロックに設けられた突起との係合が解除され、複数の前記エッジピースと、複数の前記センターピースとを分離させると共に、複数の前記コーナーピースと、前記エッジピースに固定されるブロックとを分離させて複数の前記ブロックを他の前記ブロックから分離させ、前記球体コアの内部を外部に露出させることができることを特徴とする請求項１に記載の立体パズル。
【請求項３】
６個の前記センターピース、８個の前記コーナーピース、１２個の前記エッジピースを含み、前記８個のコーナーピースと、前記１２個のエッジピースとが、前記６個のセンターピースを介して連結されて滑動自在な球体コアを形成し、
前記コーナーピースの前記固定部と、前記エッジピースの前記固定部とに前記ブロックが固定され、複数の前記ブロックが全体として六面立方体を構成し、
前記球体コアは所定の分割線で蓋体アセンブリと、ケース体アセンブリとに２分割され、
前記蓋体アセンブリは、４個の前記エッジピース、４個の前記コーナーピース、及び１個の前記センターピースからなる前記球体コア全体の３分の１の球体コア構造であり、
前記エッジピースの両端部に突縁が設けられ、前記コーナーピースの各辺に突縁が設けられ、前記センターピースの各辺に突起が設けられており、
各々の前記コーナーピースの各辺に設けられた突縁が前記エッジピースの側辺と、該エッジピースに固定されるブロックとにより形成されたガイド溝に沿って滑動自在に係合し、
前記エッジピースの一端部に設けられた突縁の所定の位置に矩形状の切り欠き部が形成されると共に、前記コーナーピースの一辺に設けた突縁の所定の位置に矩形状の切り欠き部が形成され、
前記ケース体アセンブリは、８個の前記エッジピース、４個の前記コーナーピース、及び５個の前記センターピースからなる前記球体コア全体の３分の２の球体コア構造であり、
前記エッジピースの両端部に突縁が設けられ、前記コーナーピースの各辺に突縁が設けられ、前記センターピースの各辺に突起が設けられており、
各々の前記コーナーピースの各辺に設けられた突縁が前記エッジピースの側辺と、該エッジピースに固定されるブロックとにより形成されたガイド溝に沿って滑動自在に係合し、
前記センターピースの一辺に設けた突起の所定の位置に矩形状の切り欠き部が形成されると共に、前記エッジピースに固定されるブロックに設けられた突起の所定の位置に矩形状の切り欠き部が形成され、
前記蓋体アセンブリと、前記ケース体アセンブリとは、前記蓋体アセンブリの開口縁を構成する前記エッジピースの一端部及び前記コーナーピースの一辺にそれぞれ設けた突縁と、該突縁の所定の位置に形成した矩形状の切り欠き部と、前記ケース体アセンブリの開口縁の一部を構成する前記センターピースの一辺に設けた突起と、該突起の所定の位置に形成された矩形状の切り欠き部と、前記エッジピースに固定されるブロックに設けられた突起と、該突起の所定の位置に形成された矩形状の切り欠き部との位置合わせにおける前記突縁と前記突起との係合によって係止連結し、前記突縁及び前記突起と前記切り欠き部とを位置合わせして係止解除して開閉可能としたことを特徴とする請求項２に記載の立体パズル。
【請求項４】
前記コーナーピースの前記固定部と、前記エッジピースの前記固定部にそれぞれ貫通孔が設けられ、前記ブロックの前記貫通孔に対応する位置にネジ孔が設けられ、前記コーナーピースと、前記エッジピースとが、対応する前記ブロックにネジ止めによってそれぞれ連結されることを特徴とする請求項２または請求項３に記載の立体パズル。
【請求項５】
前記ブロックの立方体構造を形成する外面に少なくとも２種類の色が着色されていることを特徴とする請求項１〜４のいずれか１項に記載の立体パズル。
【請求項６】
前記ブロックの立方体構造を形成する外面に少なくとも２種類の図形が形成されていることを特徴とする請求項１〜５のいずれか１項に記載の立体パズル。
【発明の詳細な説明】
【技術分野】
【０００１】
本発明は、立体パズルに関し、特に、プレゼントボックス等の容器として使用可能な立体パズルに関する。
【背景技術】
【０００２】
周知の立体パズルは、所謂、ルービックキューブ（登録商標）に代表されるように、大多数が３×３×３型の立体パズルであり、通常は、互いに組み合わさって関連する多くの可動ブロックを含む。例えば、ハンガリー人のルービックが１９７４年に発明した３×３×３型の立体パズル「ルービックキューブ（登録商標）」は、２６個もの可動ブロックに、芯軸部材、ボール芯、延出軸、カバー、圧力ばね、滑動片、押動スライダ等を組み合わせてなり、立体パズル全体は構造が複雑で部品が多く、生産や組み立てがやや不便である。
【０００３】
この他、３×３×３型の立体パズルは、優れた知的玩具であることは間違いないが、発売されて以来、これまでに長い歴史があり、遊び方もよく知られているため、更に変化が豊かで目新しい立体パズルをどのようにして製造するかが業界内で解決が急がれる問題の一つとなっていた。
【０００４】
この種の従来の３×３×３型の正六面体の立体パズルとしては、特許文献１、２に記載されたものがある。また、他の多面体の立体パズルとしては、特許文献３に記載されたものがある。また、２つのユニットに分割される立体パズルとしては、特許文献４に記載されたものもある。
【先行技術文献】
【特許文献】
【０００５】
【特許文献１】実用新案登録第３０１９２７３号公報
【特許文献２】特表２００９−５１２４８４号公報
【特許文献３】特開平０５−０１５６６４号公報
【特許文献４】実用新案登録第２５０４４８３号公報
【発明の概要】
【発明が解決しようとする課題】
【０００６】
しかしながら、前述の従来例では、専らパズルを解くことのみが主体のゲームであって、それ自体を別の用途として利用し得るものではなかった。
【０００７】
本発明は前記課題を解決するものであり、その目的とするところは、プレゼントボックス等の容器として活用出来る立体パズルを提供せんとするものである。
【課題を解決するための手段】
【０００８】
前記目的を達成するための本発明に係る立体パズルの第１の構成は、水平及び垂直な分割線で、複数のピースに分割された球体コアと、それぞれの前記ピースの外側に固定され、全体として４つの面以上の立体を構成する複数のブロックとを有し、前記ピースを前記分割線に沿って移動させることにより、前記立体の面の色彩もしくは模様を揃える立体パズルであって、所定の前記ピースが所定の前記ピースと隣接した場合に、その係合が解除され、複数の前記ブロックを他の前記ブロックから分離させ、前記球体コアの内部を外部に露出させることが出来ることを特徴とする。
【０００９】
また、本発明に係る立体パズルの第２の構成は、前記第１の構成において、前記球体コアは、前記球体コアの曲率に対応して湾曲した方形状で形成されると共に、前記ブロックを固定する固定部が中央部に設けられ、両端部に条溝と突縁が設けられ、前記球体コアの水平及び垂直な分割線に沿って配置される複数のエッジピースと、前記球体コアの曲率に対応して湾曲した正三角形状で形成されると共に、前記ブロックを固定する固定部が中央部に設けられ、各辺に前記エッジピースの側辺と、該エッジピースに固定されるブロックとにより形成されたガイド溝に沿って滑動自在に係合する突縁を有するコーナーピースと、前記球体コアの曲率に対応して湾曲した正方形状で形成されると共に、各辺に沿って設けられ、前記エッジピースの両端部に設けられた条溝に沿って滑動自在に係合すると共に、前記コーナーピースの各辺に設けられた突縁と、該コーナーピースに固定されるブロックとにより形成されたガイド溝に沿って滑動自在に係合する突起と、各辺に沿って前記突起に隣接して設けられ、前記エッジピースの両端部に設けられた突縁及び前記コーナーピースの各辺に設けられた突縁が滑動自在に係合する条溝と、を有する複数のセンターピースと、を有して構成され、前記球体コアの所定の分割線で、所定の前記センターピースが所定の前記エッジピースと隣接すると共に、所定の前記エッジピースが所定の前記コーナーピースと隣接した場合に、前記エッジピースの端部に設けられた前記突縁の位置と、前記センターピースの一辺に設けられた突起の一部に形成された切り欠き部の位置とが互いに対向する位置に設定されると共に、前記コーナーピースの一辺に設けられた突縁の位置と、前記エッジピースに固定されるブロックに設けられた突起の一部に形成された切り欠き部の位置とが互いに対向する位置に設定されることにより、前記エッジピースの突縁と前記センターピースの突起との係合が解除されると共に、前記コーナーピースの突縁と、前記エッジピースに固定されるブロックに設けられた突起との係合が解除され、複数の前記エッジピースと、複数の前記センターピースとを分離させると共に、複数の前記コーナーピースと、前記エッジピースに固定されるブロックとを分離させて複数の前記ブロックを他の前記ブロックから分離させ、前記球体コアの内部を外部に露出させることができることを特徴とする。
【００１０】
また、本発明に係る立体パズルの第３の構成は、前記第２の構成において、６個の前記センターピース、８個の前記コーナーピース、１２個の前記エッジピースを含み、前記８個のコーナーピースと、前記１２個のエッジピースとが、前記６個のセンターピースを介して連結されて滑動自在な球体コアを形成し、前記コーナーピースの前記固定部と、前記エッジピースの前記固定部とに前記ブロックが固定され、複数の前記ブロックが全体として六面立方体を構成し、前記球体コアは所定の分割線で蓋体アセンブリと、ケース体アセンブリとに２分割され、前記蓋体アセンブリは、４個の前記エッジピース、４個の前記コーナーピース、及び１個の前記センターピースからなる前記球体コア全体の３分の１の球体コア構造であり、前記エッジピースの両端部に突縁が設けられ、前記コーナーピースの各辺に突縁が設けられ、前記センターピースの各辺に突起が設けられており、各々の前記コーナーピースの各辺に設けられた突縁が前記エッジピースの側辺と、該エッジピースに固定されるブロックとにより形成されたガイド溝に沿って滑動自在に係合し、前記エッジピースの一端部に設けられた突縁の所定の位置に矩形状の切り欠き部が形成されると共に、前記コーナーピースの一辺に設けた突縁の所定の位置に矩形状の切り欠き部が形成され、前記ケース体アセンブリは、８個の前記エッジピース、４個の前記コーナーピース、及び５個の前記センターピースからなる前記球体コア全体の３分の２の球体コア構造であり、前記エッジピースの両端部に突縁が設けられ、前記コーナーピースの各辺に突縁が設けられ、前記センターピースの各辺に突起が設けられており、各々の前記コーナーピースの各辺に設けられた突縁が前記エッジピースの側辺と、該エッジピースに固定されるブロックとにより形成されたガイド溝に沿って滑動自在に係合し、前記センターピースの一辺に設けた突起の所定の位置に矩形状の切り欠き部が形成されると共に、前記エッジピースに固定されるブロックに設けられた突起の所定の位置に矩形状の切り欠き部が形成され、前記蓋体アセンブリと、前記ケース体アセンブリとは、前記蓋体アセンブリの開口縁を構成する前記エッジピースの一端部及び前記コーナーピースの一辺にそれぞれ設けた突縁と、該突縁の所定の位置に形成した矩形状の切り欠き部と、前記ケース体アセンブリの開口縁の一部を構成する前記センターピースの一辺に設けた突起と、該突起の所定の位置に形成された矩形状の切り欠き部と、前記エッジピースに固定されるブロックに設けられた突起と、該突起の所定の位置に形成された矩形状の切り欠き部との位置合わせにおける前記突縁と前記突起との係合によって係止連結し、前記突縁及び前記突起と前記切り欠き部とを位置合わせして係止解除して開閉可能としたことを特徴とする。
【００１１】
また、本発明に係る立体パズルの第４の構成は、前記第２、第３の構成において、前記コーナーピースの前記固定部と、前記エッジピースの前記固定部にそれぞれ貫通孔が設けられ、前記ブロックの前記貫通孔に対応する位置にネジ孔が設けられ、前記コーナーピースと、前記エッジピースとが、対応する前記ブロックにネジ止めによってそれぞれ連結されることを特徴とする。
【００１２】
また、本発明に係る立体パズルの第５の構成は、前記第１〜第４の構成において、前記ブロックの立方体構造を形成する外面に少なくとも２種類の色が着色されていることを特徴とする。
【００１３】
また、本発明に係る立体パズルの第６の構成は、前記第１〜第５の構成において、前記ブロックの立方体構造を形成する外面に少なくとも２種類の図形が形成されていることを特徴とする。
【発明の効果】
【００１４】
本発明に係る立体パズルの第１の構成によれば、所定のピースが所定のピースと隣接した場合に、その係合が解除され、複数のブロックを他のブロックから分離させ、球体コアの内部を外部に露出させることが出来、プレゼントボックス等の容器として活用出来る。
【００１５】
また、本発明に係る立体パズルの第２の構成によれば、球体コアの所定の分割線で、所定のセンターピースが所定のエッジピースと隣接すると共に、所定のエッジピースが所定のコーナーピースと隣接した場合に、エッジピースの端部に設けられた突縁の位置と、センターピースの一辺に設けられた突起の一部に形成された切り欠き部の位置とが互いに対向する位置に設定されると共に、コーナーピースの一辺に設けられた突縁の位置と、エッジピースに固定されるブロックに設けられた突起の一部に形成された切り欠き部の位置とが互いに対向する位置に設定されることにより、エッジピースの突縁とセンターピースの突起との係合が解除されると共に、コーナーピースの突縁と、エッジピースに固定されるブロックに設けられた突起との係合が解除され、複数のエッジピースと、複数のセンターピースとを分離させると共に、複数のコーナーピースと、エッジピースに固定されるブロックとを分離させて複数のブロックを他のブロックから分離させ、球体コアの内部を外部に露出させることが出来る。
【００１６】
また、本発明に係る立体パズルの第３の構成によれば、８個のコーナーピースと、１２個のエッジピースが６個のセンターピースを介して連結されて滑動自在な球体コアを形成し、更に、コーナーピースと、エッジピースとにブロックを連結固定することにより、斬新な立体パズルを形成しており、該立体パズルは、全ての面の色彩や模様が揃っている場合には、その立体構造における３分の１の分割線に沿って蓋体アセンブリを開くことが出来、全ての面の色彩や模様が揃っていない場合には、蓋体アセンブリを開くことが出来ず、蓋体アセンブリが開かれた状態では、球体コアのキャビティ内に小さなプレゼントを入れることが出来、続いて、蓋体アセンブリをケース体アセンブリに取り付けて立体パズルのブロックを随意に移動させれば、プレゼントを立体パズル内に収容することが出来る。このようにすれば、該立体パズルを、小さなプレゼントを入れるボックスとして用いることが出来、プレゼントが入れられた立体パズルごと友人に贈れば、プレゼントしたり愛蔵したりする高い価値があり、構造がユニークで遊び方が独特であり、新製品に対する市場のニーズを満たすことが出来る。
【００１７】
また、本発明に係る立体パズルの第４の構成によれば、ネジ止めによってコーナーピースと、エッジピースとに、それぞれブロックを容易に固定したり取り外したりすることが出来る。
【００１８】
また、本発明に係る立体パズルの第５、第６の構成によれば、全ての面の色や図形を揃えることで、係合が解除され、複数のブロックを他のブロックから分離させ、球体コアの内部を外部に露出させることが出来、プレゼントボックス等の容器として活用出来る。
【図面の簡単な説明】
【００１９】
【図１】本発明に係る立体パズルの構成を示す斜視説明図である。
【図２】本発明に係る立体パズルの構成を示す斜視説明図である。
【図３】（ａ），（ｂ）は本発明に係る立体パズルの構成を示す正面図及び背面図である。
【図４】（ａ），（ｂ）は本発明に係る立体パズルの構成を示す平面図及び底面図である。
【図５】（ａ），（ｂ）は本発明に係る立体パズルの構成を示す右側面図及び左側面図である。
【図６】図１のＣ−Ｃ断面図である。
【図７】球体コアを蓋体アセンブリとケース体アセンブリとに２分割して開いた状態を示す斜視説明図である。
【図８】球体コアを閉じた状態を示す斜視説明図である。
【図９】（ａ）はエッジピースの構成を示す斜視説明図、（ｂ）はコーナーピースの構成を示す斜視説明図、（ｃ）はセンターピースの構成を示す裏面図である。
【図１０】球体コアのエッジピースとコーナーピースとを組み合わせた様子を示す分解斜視図である。
【図１１】（ａ）はブロックとエッジピースとを連結する様子を示す分解斜視図、（ｂ）はブロックとエッジピースとを連結した様子を示す斜視説明図である。
【図１２】（ａ）はブロックとコーナーピースとを連結する様子を示す分解斜視図、（ｂ）はブロックとコーナーピースとを連結した様子を示す斜視説明図である。
【図１３】ブロックがそれぞれ連結されたエッジピース及びコーナーピースと、センターピースとの間の連結構造を示す斜視説明図である。
【図１４】立体パズルを蓋体とケース体とに分離した様子を示す斜視説明図である。
【図１５】立体パズルの蓋体を裏面側から見た斜視説明図である。
【図１６】立体パズルを蓋体とケース体とに分離した状態において、蓋体アッセンブリの開口縁を構成するエッジピースの一端部及びコーナーピースの一辺にそれぞれ設けた突縁と、該突縁の所定の位置に形成した矩形状の切り欠き部と、ケース体アセンブリの開口縁の一部を構成するセンターピースの一辺に設けた突起と、該突起の所定の位置に形成された矩形状の切り欠き部と、エッジピースに取り付けられたブロックに形成された突起と、該突起の所定の位置に形成された矩形状の切り欠き部とを示す斜視説明図である。
【図１７】（ａ），（ｂ）は図14に示すケース体の正面図及び背面図である。
【図１８】図14に示すケース体の平面図である。
【図１９】（ａ），（ｂ）は図14に示すケース体の右側面図及び左側面図である。
【図２０】図14に示す蓋体の底面図である。
【図２１】（ａ），（ｂ）は図14に示す蓋体の正面図及び背面図である。
【図２２】（ａ），（ｂ）は図14に示す蓋体の右側面図及び左側面図である。
【図２３】本発明に係る立体パズルにおいて全ての面の色彩や模様が揃っていない場合の一例を示す斜視説明図である。
【図２４】（ａ），（ｂ）はブロックの立方体構造を形成する外面が湾曲面で構成された一例を示す斜視説明図であり、（ａ）は全ての面の色彩や模様が揃っている場合、（ｂ）は全ての面の色彩や模様が揃っていない場合の一例である。
【図２５】（ａ），（ｂ）はブロックの立体構造が４面体で構成され、外面が湾曲面で構成された一例を示す斜視説明図であり、（ａ）は全ての面の色彩や模様が揃っている場合、（ｂ）は全ての面の色彩や模様が揃っていない場合の一例である。
【発明を実施するための形態】
【００２０】
図により本発明に係る立体パズルの一実施形態を具体的に説明する。
【００２１】
図１〜図23において、立体パズル１は、水平及び垂直な分割線３で、複数のピースとなる図９（ａ）及び図７、図８に示すエッジピース11〜22、図９（ｂ）及び図７、図８に示すコーナーピース31〜38、図９（ｃ）及び図７、図８に示すセンターピース41〜46にそれぞれ分割された球体コア２と、それぞれのエッジピース11〜22、コーナーピース31〜38の外側に固定され、或いはセンターピース41〜46の外表面に一体的に形成され、立体パズル１全体として４つの面以上の立体を構成する複数のブロック51〜53とを有し、エッジピース11〜22、コーナーピース31〜38、センターピース41〜46を分割線３に沿って移動させることにより、立体の面の色彩もしくは模様を揃える立体パズル１である。
【００２２】
そして、図７に示すように、所定のセンターピース43〜46が所定のエッジピース15，11，18，12（尚、エッジピース12は図７の背面側にあり、図８に示される）と隣接すると共に、所定のエッジピース13，16，20，21が所定のコーナーピース32，31，36，35（尚、コーナーピース31，32は図７の背面側にあり、図８及び図10に示される）と隣接した場合に、詳しくは後述する各係合部の係合が解除され、複数のブロック51〜53からなる蓋体Ｂを他の複数のブロック51〜53からなるケース体Ａから分離させ、球体コア２の内部を外部に露出させることが出来るように構成される。
【００２３】
球体コア２は、図９（ａ）に示すように、該球体コア２の曲率に対応して湾曲した方形状で形成されると共に、ブロック52を固定する固定部となる貫通孔121が中央部に設けられ、両端部に条溝124，125と突縁122，123が設けられ、球体コア２の水平及び垂直な分割線３に沿って配置される複数のエッジピース11〜22を有する。尚、図９（ａ）はエッジピース12の一例を示す。
【００２４】
更に、球体コア２は、図９（ｂ）に示すように、該球体コア２の曲率に対応して湾曲した正三角形状で形成されると共に、ブロック51を固定する固定部となる貫通孔311が中央部に設けられ、各辺にエッジピース11〜22の側辺と、該エッジピース11〜22に固定されるブロック52とにより形成された図13に示すガイド溝５に沿って滑動自在に係合する突縁313と、各頂点に突起312とを有するコーナーピース31〜38を有する。尚、図９（ｂ）はコーナーピース31の一例を示す。
【００２５】
更に、球体コア２は、図９（ｃ）に示すように、該球体コア２の曲率に対応して湾曲した正方形状で形成されると共に、各辺に沿って設けられ、エッジピース11〜22の両端部に設けられた条溝124，125に沿って滑動自在に係合すると共に、コーナーピース31〜38の各辺に設けられた突縁313及び突起312と、該コーナーピース31〜38に固定されるブロック51とにより形成された図13に示すガイド溝７に沿って滑動自在に係合する突起411〜414と、各辺に沿って該突起411〜414に隣接して設けられ、エッジピース11〜22の両端部に設けられた突縁122，123及びコーナーピース31〜38の各辺に設けられた突縁313及び突起312が滑動自在に係合する条溝415とを有する複数のセンターピース41〜46を有する。尚、図９（ｃ）はセンターピース41の一例を示す。
【００２６】
図10に示すように、球体コア２の全てのエッジピース11〜22の両端が対向する位置には６個の矩形状の開口部600が形成され、該開口部600はセンターピース41〜46によって蓋がされる。
【００２７】
そして、図７に示すように、球体コア２の所定の分割線３で、所定のセンターピース43〜46が所定のエッジピース15，11，18，12（尚、エッジピース12は図７の背面側にあり、図８に示される）と隣接すると共に、所定のエッジピース13，16，20，21が所定のコーナーピース32，31，36，35（尚、コーナーピース31，32は図７の背面側にあり、図８及び図10に示される）と隣接した場合に、エッジピース11，12，15，18の一端部に設けられた突縁122の位置と、センターピース43〜46の一辺に設けられた突起414の一部に形成された切り欠き部414ａの位置とが互いに対向する位置に設定されると共に、コーナーピース32，31，36，35の一辺に設けられた突縁313の位置と、エッジピース13，16，20，21に固定されるブロック52に設けられた図14に示す突起４の一部に形成された切り欠き部４ａの位置とが互いに対向する位置に設定されることにより、エッジピース15，11，18，12の突縁122とセンターピース43〜46の突起414との係合が解除されると共に、コーナーピース32，31，36，35の突縁313と、エッジピース13，16，20，21に固定されるブロック52に設けられた突起４との係合が解除され、複数のエッジピース15，11，18，12と、複数のセンターピース43〜46とを分離させると共に、複数のコーナーピース32，31，36，35と、複数のエッジピース13，16，20，21にそれぞれ固定されるブロック52とを分離させて複数のブロック51〜53からなる蓋体Ｂを他の複数のブロック51〜53からなるケース体Ａから分離させて球体コア２の内部を外部に露出させることが出来る。
【００２８】
本実施形態では、図１及び図２に示すように、３×３×３型の正六面体の立体パズル１で構成された場合の一例を示しており、図７に示すように、６個のセンターピース41〜46と、８個のコーナーピース31〜38と、１２個のエッジピース11〜22を有して球体コア２が構成されている。
【００２９】
そして、図７、図８及び図10に示すように、８個のコーナーピース31〜38と、１２個のエッジピース11〜22とが、６個のセンターピース41〜46を介して連結されて滑動自在な球体コア２を形成する。図11〜図13に示すように、コーナーピース31〜38の固定部となる貫通孔311及びエッジピース11〜22の固定部となる貫通孔121にビス６が内面側から挿通され、ブロック51〜53の貫通孔121，311に対応する位置に設けられたネジ孔511に螺合締結してブロック51，52が連結固定される。また、センターピース41〜46の外表面にはブロック53が一体的に形成されている。このようにして、複数のブロック51〜53が全体として六面立方体を構成する。
【００３０】
尚、コーナーピース31〜38及びエッジピース11〜22に対するブロック51，52の固定は、ネジ止め以外にも種々の固定手段により固定することが出来、例えば、コーナーピース31〜38及びエッジピース11〜22と、ブロック51，52との一方に突部、他方に凹部を設けて、該突部と凹部とが弾性変形によりワンタッチで着脱可能に構成することも出来る。また、コーナーピース31〜38及びエッジピース11〜22に対してブロック51，52をそれぞれ接着剤により固定したり、センターピース41〜46と同様に、コーナーピース31〜38及びエッジピース11〜22の外表面にそれぞれブロック51，52を一体的に形成することでも良い。
【００３１】
球体コア２は、図７に示すように、所定の分割線３で蓋体アセンブリ200と、ケース体アセンブリ100とに２分割される。蓋体アセンブリ200は、４個のエッジピース11，12，15，18、４個のコーナーピース31，32，35，36、及び１個のセンターピース41からなる球体コア２全体の３分の１の球体コア構造である。
【００３２】
図９（ａ）に示すように、エッジピース11，12，15，18の両端部には突縁122，123が設けられる。図９（ｂ）に示すように、コーナーピース31，32，35，36の各辺には突縁313が設けられ、該コーナーピース31，32，35，36の各頂点には突起312が設けられる。図９（ｃ）に示すように、センターピース41の各辺には突起411〜414が設けられている。そして、各々のコーナーピース31，32，35，36の各辺に設けられた突縁313及び各頂点に設けられた突起312がエッジピース11，12，15，18の側辺と、該エッジピース11，12，15，18にそれぞれ固定されるブロック52とにより形成された図13に示すガイド溝５に沿って滑動自在に係合する。エッジピース11，12，15，18の一端部及びコーナーピース31，32，35，36の一辺にそれぞれ設けた突縁122，313の所定の位置に矩形状の切り欠き部122ａ，313ａが形成される。
【００３３】
ケース体アセンブリ100は、８個のエッジピース13，14，16，17，19〜22、４個のコーナーピース33，34，37，38、及び５個のセンターピース42〜46からなる球体コア２全体の３分の２の球体コア構造である。図９（ａ）に示すように、エッジピース13，14，16，17，19〜22の両端部には突縁122，123が設けられる。図９（ｂ）に示すように、コーナーピース33，34，37，38の各辺には突縁313が設けられ、該コーナーピース33，34，37，38の各頂点には突起312が設けられる。図９（ｃ）に示すように、センターピース42〜46の各辺には突起411〜414が設けられている。そして、各々のコーナーピース33，34，37，38の各辺に設けられた突縁313及び各頂点に設けられた突起312がエッジピース13，14，16，17，19〜22の側辺と、該エッジピース13，14，16，17，19〜22にそれぞれ固定されるブロック52とにより形成された図13に示すガイド溝５に沿って滑動自在に係合する。センターピース43〜46の一辺に設けた突起414の所定の位置に矩形状の切り欠き部414ａが形成される。また、エッジピース13，16，20，21に固定されるブロック52に設けられた突起４の所定位置に矩形状の切り欠き部４ａが形成される。
【００３４】
そして、蓋体アセンブリ200と、ケース体アセンブリ100とは、蓋体アセンブリ200の開口縁を構成するエッジピース11，12，15，18の一端部及びコーナーピース31，32，35，36の一辺にそれぞれ設けた突縁122，313と、該突縁122，313の所定の位置に形成した矩形状の切り欠き部122ａ，313ａと、ケース体アセンブリ100の開口縁の一部を構成するセンターピース43〜46の一辺に設けた突起414と、該突起414の所定の位置に形成された矩形状の切り欠き部414ａと、エッジピース13，16，20，21に固定される各ブロック52に設けられた突起４と、該突起４の所定の位置に形成された矩形状の切り欠き部４ａとの位置合わせにおける図14及び図15に示す突縁122と、突起414との係合、突縁313と、突起４との係合によって係止連結し、該突縁122，313及び突起414，４と切り欠き部122ａ，313ａ，414ａ，４ａとを位置合わせして係止解除して開閉可能に構成される。
【００３５】
本実施形態では、図11（ａ）に示すように、エッジピース11〜22には固定部となる貫通孔121が設けられる。また、図12（ａ），（ｂ）に示すように、コーナーピース31〜38には固定部となる貫通孔311が設けられる。そして、ブロック51，52のエッジピース11〜22の貫通孔121及びコーナーピース31〜38の貫通孔311に対応する位置にネジ孔511が設けられる。そして、エッジピース11〜22とコーナーピース31〜38とが、対応するブロック51，52に設けられたネジ孔511にエッジピース11〜22とコーナーピース31〜38のそれぞれの内面側から各貫通孔121，311に挿通されるビス６を螺合締結したネジ止めによってそれぞれ連結される。
【００３６】
本実施形態では、図１及び図２に示す３×３×３型の正六面体の立体パズル１の計８箇所のコーナ部に配置されるブロック51が図13に示すように、８個のコーナーピース31〜38にそれぞれ固定される。また、コーナ部に配置されるブロック51の間に配置される計１２箇所のブロック52が図13に示すように、１２個のエッジピース11〜22にそれぞれ固定される。また、各面の中央部に配置される合計で６箇所のブロック53は図７に示すように６個のセンターピース41〜46の外表面に一体的に形成されている。
【００３７】
ブロック51〜53の立方体構造を形成する外面には少なくとも２種類の色が着色されている。また、ブロック51〜53の立方体構造を形成する外面に少なくとも２種類の図形が形成されている。
【００３８】
図13に示すように、１２個のエッジピース11〜22にビス６によりブロック52を連結固定し、８個のコーナーピース31〜38にビス６によりブロック51を連結固定し、図10に示すように、エッジピース11〜22の側辺と、該エッジピース11〜22に固定されるブロック52とにより形成されたガイド溝５にコーナーピース31〜38の突縁313を係合して接合配置し、センターピース41〜46の条溝415にエッジピース11〜22の突縁122，123及びコーナーピース31〜38の突縁313を係合して接合配置して取り付ける。
【００３９】
図１及び図２に示すように、３×３×３の立体パズル１を形成する。各ブロック51〜53の立方体構造の立体パズル１を形成する外面に少なくとも２種類（好ましくは６種類）の色が着色されているか、或いは異なる図形が形成されている。
【００４０】
図14及び図15に示すように、立体パズル１の面の色彩若しくは模様が揃った状態では、蓋体アセンブリ200の開口縁を構成するエッジピース11，12，15，18の一端部及びコーナーピース31，32，35，36の一辺にそれぞれ設けた突縁122，313と、ケース体アセンブリ100の開口縁の一部を構成するセンターピース43〜46の一辺に設けた突起414の所定の位置に形成された矩形状の切り欠き部414ａと、エッジピース13，16，20，21にそれぞれ固定された各ブロック52に設けられた突起４の所定の位置に形成された切り欠き部４ａとの位置が合っているため該突縁122，313を切り欠き部414ａ，４ａから挿入してケース体アセンブリ100の開口縁に蓋体アセンブリ200の開口縁を接合することが出来る。尚、図14及び図15において、Ｂは蓋体、Ａはケース体である。
【００４１】
そして、何れかの分割線３でブロック51〜53を回転することにより蓋体アセンブリ200の開口縁を構成するエッジピース11，12，15，18の一端部及びコーナーピース31，32，35，36の一辺にそれぞれ設けた突縁122，313と、ケース体アセンブリ100の開口縁の一部を構成するセンターピース43〜46の一辺に設けた突起414の所定の位置に形成された矩形状の切り欠き部414ａと、エッジピース13，16，20，21にそれぞれ固定された各ブロック52に設けられた突起４の所定の位置に形成された矩形状の切り欠き部４ａとの位置がずれて該蓋体アセンブリ200の開口縁を構成するエッジピース11，12，15，18の一端部及びコーナーピース31，32，35，36の一辺にそれぞれ設けた突縁122，313と、ケース体アセンブリ100の開口縁の一部を構成するセンターピース43〜46の一辺に設けた突起414と、エッジピース13，16，20，21にそれぞれ固定された各ブロック52に設けられた突起４とが係合して蓋体アセンブリ200がケース体アセンブリ100に係止される。
【００４２】
本実施形態では、８個のコーナーピース31〜38と、１２個のエッジピース11〜22が６個のセンターピース41〜46を介して連結されて水平及び垂直な分割線３に沿って滑動自在な球体コア２を形成し、更に、コーナーピース31〜38と、エッジピース11〜22にそれぞれブロック51，52をビス６により連結固定することにより、斬新な立体パズル１を形成しており、該立体パズル１は、全ての面の色採若しくは模様がそれぞれ対応して一致して何れも揃っている場合には、蓋体アセンブリ200と、ケース体アセンブリ100とが分離可能となり球体コア２全体の３分の１の蓋体アセンブリ200を開くことが出来る。従って、立体パズル１をプレゼントボックスとして使用する場合には、該プレゼントボックスを開くことが可能である。
【００４３】
立体パズル１の６つの面の色採若しくは模様が揃っていない場合には、蓋体アセンブリ200と、ケース体アセンブリ100とが係止されたままの状態で分離出来ず、球体コア２全体の３分の１の蓋体アセンブリ200を開くことが出来ない。従って、立体パズル１をプレゼントボックスとして使用する場合には、該プレゼントボックスを開くことが不可能である。
【００４４】
立体パズル１が開かれた状態では、球体コア２のキャビティ内に小さなプレゼント等を入れることが出来、続いて、立体パズル１を何れかの分割線３でブロック51〜53を随意に回動させれば、プレゼントを立体パズル１内に収容することが出来る。このようにすれば、該立体パズル１を、小さなプレゼントを入れるボックスとして用いることが出来、プレゼントが入れられた立体パズル１ごと相手に贈れば、プレゼントしたり、宝箱として愛蔵したりすることが出来、高い付加価値があり、構造がユニークで遊び方が独特であり、新製品に対する市場のニーズを満たすことになる。
【００４５】
尚、本実施形態では、３×３×３型の正六面体の立体パズル１の一例について説明したが、２×２型の正六面体の立体パズルにも同様に適用出来、図24に示すように、ブロック51〜53の立方体構造を形成する外面が湾曲面で構成された立体パズルや、図25に示すように、ブロックの立体構造が４面体で構成され、外面が湾曲面で構成された立体パズル等、種々の多面体の立体パズルにも同様に適用出来る。例えば、４×４×４型の正六面体の立体パズル１の場合は、球体コア２全体の２分の１の球体コア構造毎に分割したり、球体コア２全体の４分の１と４分の３の球体コア構造等、用途やデザインによって適宜複数に分割できる球体コア構造とすることが出来る。他に、５×５×５型の正六面体の立体パズル１など多様な立体パズル１に適用可能である。
【００４６】
上記実施形態は、本発明を限定するものではない。本発明の技術思想の範疇内で様々な変形や修正を行っても良く、当業者が以上の記述に基づいて行った変形や修正、または均等物置換は、いずれも本発明が保護される範囲に属する。
【００４７】
上記立体パズル１によれば、蓋体アセンブリ200に設けられる所定のエッジピース15，11，18，12がケース体アセンブリ100に設けられる所定のセンターピース43〜46と隣接すると共に、蓋体アセンブリ200に設けられる所定のコーナーピース32，31，36，35がケース体アセンブリ100に設けられる所定のエッジピース13，16，20，21と隣接した場合に、突縁122，313と、突起414，４との係合が解除され、複数のブロック51〜53からなる蓋体Ｂを他の複数のブロック51〜53からなるケース体Ａから分離させ、球体コア２の内部を外部に露出させることが出来、立体パズル１をプレゼントボックス等の容器として活用出来る。
【００４８】
また、球体コア２の所定の分割線３で、蓋体アセンブリ200に設けられる所定のエッジピース15，11，18，12がケース体アセンブリ100に設けられる所定のセンターピース43〜46と隣接すると共に、蓋体アセンブリ200に設けられる所定のコーナーピース32，31，36，35がケース体アセンブリ100に設けられる所定のエッジピース13，16，20，21と隣接した場合に、蓋体アセンブリ200に設けられるエッジピース11，12，15，18の一端部に設けられた突縁122の位置と、ケース体アセンブリ100に設けられるセンターピース43〜46の一辺に設けられた突起414の一部に形成された切り欠き部414ａの位置とが互いに対向する位置に設定されると共に、蓋体アセンブリ200に設けられるコーナーピース32，31，36，35の一辺に設けられた突縁313の位置と、ケース体アセンブリ100に設けられるエッジピース13，16，20，21に固定されるブロック52に設けられた図14に示す突起４の一部に形成された切り欠き部４ａの位置とが互いに対向する位置に設定されることにより、蓋体アセンブリ200に設けられるエッジピース15，11，18，12の突縁122と、ケース体アセンブリ100に設けられるセンターピース43〜46の突起414との係合が解除されると共に、蓋体アセンブリ200に設けられるコーナーピース32，31，36，35の突縁313と、ケース体アセンブリ100に設けられるエッジピース13，16，20，21に固定されるブロック52に設けられた突起４との係合が解除され、複数のエッジピース15，11，18，12と、複数のセンターピース43〜46とを分離させると共に、複数のコーナーピース32，31，36，35と、複数のエッジピース13，16，20，21にそれぞれ固定されるブロック52とを分離させて複数のブロック51〜53からなる蓋体Ｂを他の複数のブロック51〜53からなるケース体Ａから分離させて球体コア２の内部を外部に露出させることが出来る。
【００４９】
また、８個のコーナーピース31〜38と、１２個のエッジピース11〜22が、表面部にブロック53を形成した６個のセンターピース41〜46を介して連結されて滑動自在な球体コア２を形成し、更に、コーナーピース31〜38と、エッジピース11〜22とにブロック51，52をビス６により連結固定することにより、斬新な立体パズル１を形成しており、該立体パズル１は、全ての面の色彩や模様が揃っている場合には、その立体構造における３分の１の分割線３に沿って蓋体アセンブリ200を開くことが出来、全ての面の色彩や模様が揃っていない場合には、蓋体アセンブリ200を開くことが出来ず、蓋体アセンブリ200が開かれた状態では、球体コア２のキャビティ内に小さなプレゼント等を入れることが出来、続いて、蓋体アセンブリ200をケース体アセンブリ100に取り付けて立体パズル１のブロック51〜53を何れかの分割線３に沿って随意に回動させれば、プレゼント等を立体パズル１内に収容することが出来る。このようにすれば、該立体パズル１を、小さなプレゼント等を入れるボックスとして用いることが出来、プレゼント等が入れられた立体パズル１ごと相手に贈れば、プレゼントしたり、宝箱として愛蔵したりすることが出来、高い付加価値があり、構造がユニークで遊び方が独特であり、新製品に対する市場のニーズを満たすことが出来る。
【００５０】
また、立体パズル１の全ての面の色や図形を揃えることで、係合が解除され、複数のブロック51〜53を他のブロック51〜53から分離させ、球体コア２の内部を外部に露出させることが出来、プレゼントボックス等の容器として活用出来る。
【産業上の利用可能性】
【００５１】
本発明の活用例として、立体パズルに適用出来、特に、プレゼントボックス等の容器として使用可能な立体パズルに適用出来る。
【符号の説明】
【００５２】
１    …立体パズル
２    …球体コア
３    …分割線
４    …エッジピースのブロックの突起
４ａ  …エッジピースのブロックの突起の切り欠き部
５    …エッジピースとブロックとにより形成されたガイド溝
６    …ビス
７    …ガイド溝
11〜22 …エッジピース
31〜38 …コーナーピース
41〜46 …センターピース
51 …コーナーピースのブロック
52 …エッジピースのブロック
53 …センターピースのブロック
100   …ケース体アセンブリ
121 …貫通孔（固定部）
122，123 …エッジピースの突縁
122ａ …エッジピースの突縁の切り欠き部
124，125 …エッジピースの条溝
200   …蓋体アセンブリ
311 …貫通孔（固定部）
312   …コーナーピースの突起
313   …コーナーピースの突縁
313ａ …コーナーピースの突縁の切り欠き部
411〜414 …センターピースの突起
414ａ …センターピースの突起の切り欠き部
415   …センターピースの条溝
511   …ネジ孔
600   …開口部
Ａ    …ケース体
Ｂ    …蓋体
【図１】
2013017807.tif 000003
【図２】
2013017807.tif 000004
【図３】
2013017807.tif 000005
【図４】
2013017807.tif 000006
【図５】
2013017807.tif 000007
【図６】
2013017807.tif 000008
【図７】
2013017807.tif 000009
【図８】
2013017807.tif 000010
【図９】
2013017807.tif 000011
【図１０】
2013017807.tif 000012
【図１１】
2013017807.tif 000013
【図１２】
2013017807.tif 000014
【図１３】
2013017807.tif 000015
【図１４】
2013017807.tif 000016
【図１５】
2013017807.tif 000017
【図１６】
2013017807.tif 000018
【図１７】
2013017807.tif 000019
【図１８】
2013017807.tif 000020
【図１９】
2013017807.tif 000021
【図２０】
2013017807.tif 000022
【図２１】
2013017807.tif 000023
【図２２】
2013017807.tif 000024
【図２３】
2013017807.tif 000025
【図２４】
2013017807.tif 000026
【図２５】
2013017807.tif 000027